(57)【要約】【課題】  基板から光通信デバイス収容箱をリリースするときに基板上に余計なスペースを取らず、リリースされた収容箱を容易に取り出すことができるリリース機構を提供する。【解決手段】  基板１上にコネクタ３４を介して装着された光通信デバイス収容箱２を取り外すためのリリース機構８であって、上記収容箱２に上記基板１に対して垂直方向にスライド自在に装着され、スライド時に基板１を押圧するためのピストン９と、上記収容箱２に枢支され上記基板１に対して垂直な面内で自在に回動し、回動に伴って上記ピストン９を押圧してスライドさせるレバー１３とを備えたことを特徴とする。【選択図】      図２
2005093112.tif 000002
【特許請求の範囲】
【請求項１】
基板上にコネクタを介して装着された光通信デバイス収容箱を取り外すためのリリース機構であって、上記収容箱に上記基板に対して垂直方向にスライド自在に装着され、スライド時に基板を押圧するためのピストンと、上記収容箱に枢支され上記基板に対して垂直な面内で自在に回動し、回動に伴って上記ピストンを押圧してスライドさせるレバーとを備えたことを特徴とする光通信デバイス収容箱の基板からのリリース機構。
【請求項２】
上記レバーは、上記収容箱にピンによって枢支されたレバー本体と、該レバー本体の一端部に設けられレバーの回動に伴って実質的に上記ピストンを押圧するハンマー部と、該ハンマー部に対して上記ピンを挟んで反対側のレバー本体の他端部に設けられたハンドル部とを有する請求項１記載の光通信デバイス収容箱の基板からのリリース機構。
【請求項３】
上記ハンドル部は、上記レバーを回動させるときの把手となると共に、基板からリリースされた収容箱を持ち上げるときの把手となるものである請求項２記載の光通信デバイス収容箱の基板からのリリース機構。
【請求項４】
上記レバーが、収容箱の上面に、当該上面に対して平行な状態から垂直な状態まで回動自在に枢支された請求項１〜３いずれかに記載の光通信デバイス収容箱の基板からのリリース機構。
【請求項５】
上記レバーが、収容箱のヒートシンク部に枢支された請求項１〜４いずれかに記載の光通信デバイス収容箱の基板からのリリース機構。
【発明の詳細な説明】
【技術分野】
【０００１】
本発明は、基板上にコネクタを介して装着された光通信デバイス収容箱を取り外すためのリリース機構に関する。
【背景技術】
【０００２】
光通信においては、光ファイバ伝送路の光信号と通信処理装置の電気信号とを相互に変換する光送信器および光受信器が必要となる。そして、光送信器と光受信器とを一体に構成したものを光トランシーバという。以下、光送信器、光受信器または光トランシーバを総称して光通信デバイスという。
【０００３】
光通信デバイスの各種回路部品が収容された収容箱を回路基板等に取り付ける際には、半田付け等で恒久的に固定するタイプと、基板に固定されたソケット等の固定具（兼電気的接続具）に装着して着脱を可能とするタイプとが存在する。後者のタイプとして、本発明者等は、先に図６に示すものを創案した（特許文献１参照）。
【０００４】
図６(a)(b)(c)に示すように、基板ａの上面に設けられた基板側コネクタｂに、光通信デバイスの各種回路部品が収容された収容箱ｃの下面に設けられたデバイス側コネクタｄが、着脱自在に係合されている。すなわち、基板ａには、収容箱ｃがコネクタｂ、ｄを介して着脱自在に装着されている。
【０００５】
この収容箱ｃは、光ファイバｅが取り付けられた側と反対側に端部に設けられたリリース機構ｆによって、基板ａから取り外される。リリース機構ｆは、収容箱ｃにピンｇを介して基板ａに対して垂直な面内で回動自在に取り付けられたリリースレバーｈを備える。
【０００６】
リリースレバーｈは、略Ｌ字型に形成されており、その短辺側の端部がピンｇで収容箱ｃに枢支されて支点となり、長辺側の端部ｉが操作される力点となり、短辺側と長辺側との接続部（エルボ部）ｊが作用点となっている。そして、ピンｇとエルボ部ｊとの距離は、ピンｇと基板ａとの距離より、長く設定されている。
【０００７】
以上の構成によれば、図６(a)の状態から作業員がリリースレバーｈをピンｇ廻りに回動させることにより、図６(b)に示すようにエルボ部ｊが基板ａに当接し、更にレバーｈをピンｇ廻りに回動させることにより、図６(c)に示すようにテコの作用によって収容箱ｃが基板ａから持ち上がり、コネクタｂ、ｄ同士が離脱しようとする。
【０００８】
そして、図６(c)に示すように、リリースレバーｈが基板ａと平行な状態まで回動されると、コネクタｂ、ｄ同士の嵌合による保持力が殆どなくなり、収容箱ｃが基板ａから若干浮き上がった状態となる。その後、作業員は、収容箱ｃを指等で摘んで基板ａから取り外す。
【０００９】
【特許文献１】特開２００３−０９８４０６号公報（図１０等）
【発明の開示】
【発明が解決しようとする課題】
【００１０】
しかし、上記リリース機構ｆにおいては、収容箱ｃを基板ａから取り外す際に、図６(c)に示すように、基板ａ上にリリースレバーｈを着床させるためのスペースを確保する必要があるため、かかるスペースが基板ａ上に別のデバイス（光通信デバイス等）を配置する妨げとなる。このため、基板ａ上にデバイスを高密度で配置することができなかった。
【００１１】
また、基板ａ上に高密度でデバイスを配置した場合、それらのデバイスと収容箱との間隔が狭まるため、収容箱ｃを図６(c)の紙面裏表方向から指等で摘んで取り外すことが困難となり、また、収容箱ｃを図６(c)の紙面左右方向から指等で摘んで取り外そうとしても光ファイバｅに接触する虞があるため好ましくない。また、治具を使用して取り外すことも考えられるが、時間が掛かり非効率である。
【００１２】
以上の課題を解決するために創案された本発明の目的は、基板から光通信デバイス収容箱をリリースするときに基板上に余計なスペースを取らず、リリースされた収容箱を容易に取り出すことができるリリース機構を提供することにある。
【課題を解決するための手段】
【００１３】
上記目的を達成するために本発明に係る光通信デバイス収容箱の基板からのリリース機構は、基板上にコネクタを介して装着された光通信デバイス収容箱を取り外すためのリリース機構であって、上記収容箱に上記基板に対して垂直方向にスライド自在に装着され、スライド時に基板を押圧するためのピストンと、上記収容箱に枢支され上記基板に対して垂直な面内で自在に回動し、回動に伴って上記ピストンを押圧してスライドさせるレバーとを備えたものである。
【００１４】
上記レバーは、上記収容箱にピンによって枢支されたレバー本体と、該レバー本体の一端部に設けられレバーの回動に伴って実質的に上記ピストンを押圧するハンマー部と、該ハンマー部に対して上記ピンを挟んで反対側のレバー本体の他端部に設けられたハンドル部とを有することが好ましい。
【００１５】
上記ハンドル部は、上記レバーを回動させるときの把手となると共に、基板からリリースされた収容箱を持ち上げるときの把手となるものであることが好ましい。
【００１６】
上記レバーが、収容箱の上面に、当該上面に対して平行な状態から垂直な状態まで回動自在に枢支されることが好ましい。
【００１７】
上記レバーが、収容箱のヒートシンク部に枢支されることが好ましい。
【発明の効果】
【００１８】
以上説明したように本発明に係る光通信デバイス収容箱の基板からのリリース機構によれば、基板から光通信デバイス収容箱をリリースするときに基板上に余計なスペースを取らず、リリースされた収容箱を容易に取り出すことができる。
【発明を実施するための最良の形態】
【００１９】
本発明の好適実施形態を添付図面に基いて説明する。
【００２０】
図１に示すように、ホスト回路基板１には、光通信デバイス（図例では多チャンネルパラレル光送信器／受信器）が収容された収容箱２が、コネクタ３、４を介して着脱自在に装着されている。すなわち、基板１の上面に設けられた基板側コネクタ３に、収容箱２の下面に設けられたデバイス側コネクタ４が着脱自在に係合され、収容箱２の底面が基板１の上面に密接するようになっている。
【００２１】
収容箱２は、略直方体状に成形されており、その長手方向の一側面に多芯テープ光ファイバ５が接続され、上面に放熱用のヒートシンク部６が取り付けられている。ヒートシンク部６は、略直方体に成形された小突起体７が、所定間隔を隔てて升目状に並設されて構成されている。この収容箱２は、以下に説明するリリース機構８によって、基板１から取り外される。
【００２２】
リリース機構８は、収容箱２の多芯テープ光ファイバ５と反対側の他側面に、基板１に対して垂直方向にスライド自在に装着されたピストン９を有する。ピストン９は、図５にも示すように、収容箱２の他側面に所定間隔を隔てて設けられた段差ブロック１０、１０の間に上下方向にスライド自在に配置された角柱状のスライド体９ａと、スライド体９ａの上面に取り付けられた板体９ｂとから、Ｔ字状に構成されている。
【００２３】
段差ブロック１０は、その上面が収容箱２の上面より低く成形されている。ピストン９の板体９ｂは、ピストン９の下降時に、段差ブロック１０の上面に着座し、ストッパとしても機能する。図１に示すように、スライド体９ａの側面にはラッチ１１が設けられ、これに対向する段差ブロック１０の側面にはラッチ１１が係合する溝１２が設けられている。これらラッチ１１と溝と１２は、ピストン９を垂直方向にのみ移動させるガイドとなる。
【００２４】
また、リリース機構８は、収容箱２の上面に、基板１に対して垂直な面内で回動自在に取り付けられたリリースレバー１３を有する。レバー１３は、図４にも示すように、収容箱２の多芯テープ光ファイバ５と反対側に、ピン１４によって枢支されたレバー本体１５を備える。ピン１４は、ヒートシンク部６の小突起体７を、多芯テープ光ファイバ５と直交する方向に貫通している。
【００２５】
レバー本体１５は、ピン１４の両端部にそれぞれ取り付けられており、傾倒時に収容箱２の上面のヒートシンク部６の脇に収容されるようになっている。すなわち、収容箱２の上面のヒートシンク部６の脇には、レバー本体１５が収容箱２の上面と平行となるまで傾倒したとき、レバー本体１５を収容箱２の上面からはみ出すことなく収容する収容スペース１６（図２、図３参照）が設けられている。
【００２６】
図４に示すように、各レバー本体１５の内側には、ラッチ１７が設けられている。そして、レバー本体１５が収容箱２の上面と平行となったとき、上記ラッチ１７が対向するヒートシンク部６の小突起体７には、各ラッチ１７が係合する溝１８が設けられている。そして、上記ラッチ１７が溝１８に係合することで、レバー本体１５が収容箱２の上面と平行となったとき、クリック感を伴って係止される。
【００２７】
レバー本体１５のピン１４に近い側の一端部には、図２に示すように、レバー本体１５がピン１４廻りに回動されたとき、実質的にピストン９の板体９ｂを下方に押圧するハンマー部１９が設けられている。ハンマー部１９は、各レバー本体１５、１５を掛け渡して連結する板からなり、図３に示すように、垂直状態まで起立したとき、ピストン９の板体９ｂを段差ブロック１０の上面まで押し下げるように成形されている。
【００２８】
レバー本体１５の他端部すなわちピン１４を挟んでハンマー部１９と反対側の端部には、各レバー本体１５、１５を掛け渡して連結するロッド状のハンドル部２０が設けられている。ハンドル部２０は、図２に示すようにレバー１３（レバー本体１５）を回動させるときの把手となると共に、図３に示すように基板１からリリースされた収容箱２を持ち上げるときの把手となるものである。
【００２９】
ハンドル部２０は、レバー１３（レバー本体１５）が収容箱２の上面と平行状態となったとき、ヒートシンク部６の小突起体７の間に収容されるようになっている。すなわち、ヒートシンク部６には、図１に示すように、レバー１３（レバー本体１５）が収容箱２の上面と平行となるまで傾倒したとき、ハンドル部２０が対向する所定の小突起体７の間隔が広げられて、ハンドル部２０の収容スペース２１が設けられている。
【００３０】
以上の構成からなる本実施形態の作用を述べる。
【００３１】
図１に示すように、収容箱２が基板１上にコネクタ３、４を介して装着されているとき、リリースレバー１３は、収容箱２の上面と平行となるように傾倒されている。
【００３２】
このとき、レバー１３は、そのレバー本体１５及びハンドル部２０がそれぞれ収容箱２の上面の収容スペース１６、２１に収容され、レバー本体１５の高さがヒートシンク部６（小突起体７）の高さより小さいため、余分なスペースを必要としない。また、レバー１３は、図４に示すように、そのレバー本体１５に設けられたラッチ１７がヒートシンク部６の溝１８に係合してクリック感を伴って係止されているので、不必要なときに不意に回動することはない。
【００３３】
収容箱２を基板１から取り外すときには、図２に示すように、作業員がリリースレバー１３のハンドル部２０を指等で摘んで上方に引き上げる。このとき、収容スペース２１がハンドル部２０を指で摘む際のスペースとなるため、作業員は容易にハンドル部２０を指で摘むことができる。
【００３４】
ハンドル部２０を上方に引き上げると、レバー本体１５がピン１４廻りに回動し、ハンマー部１９の突端がピストン９の板体９ｂの上面に当接する。このとき、ハンドル部２０が力点となり、ピン１４が支点となり、ハンマー部１９の突端が作用点となる。
【００３５】
そして、更にハンドル部２０を引き上げると、レバー本体１５がピン１４廻りに回動し、ハンマー部１９の突端がピストン９の板体９ｂの上面を滑ってピストン９が押し下げられ、ピストン９のスライド体９ａの下面が基板１に押し付けられ、収容箱２が基板１に対して持ち上げられ、収容箱２のコネクタ４が基板１のコネクタ３から離脱方向に引き上げられる。
【００３６】
このとき、基板１を基準に考えると、ハンドル部２０が力点となることは変わりないが、ハンマー部１９の突端が支点（滑り支点）となり、ピン１４が収容箱２を持ち上げる作用点となる。ここで、ハンマー部１９の突端（滑り支点）と板体９ｂとの滑り摩擦係数を小さくすれば、レバー１３の操作力を軽減できる。よって、ハンマー部１９の突端をアール状として丸みを持たせ、板体９ｂの上面を滑らかにすることが好ましい。
【００３７】
その後、更にハンドル部２０を引き上げ、図３に示すように、レバー１３が９０度まで起立するように回動させると、更にピストン９が下降し、収容箱２が基板１に対して更に持ち上げられ、収容箱２のコネクタ４と基板１のコネクタ３との嵌合による保持力が殆どなくなり、収容箱２が基板１に対して若干浮き上がる。
【００３８】
よって、作業員がレバー１３のハンドル部２０を指で摘んで上方に引き上げることで、収容箱２を基板１から取り外すことができる。このとき、ハンドル部２０は、レバー１３が９０度回動されて収容箱２及び基板１から最も離れた位置にある。よって、作業員は、収容箱２内のデバイス及び基板１上に取り付けられた他のデバイス（光通信デバイス等）と干渉することなく、収容箱２を的確かつ速やかに基板１から取り外すことができる。
【００３９】
また、このように収容箱２を基板１から取り外すとき、レバー１３は、９０度回動されて垂直となっているため、図６(c)に示す先行例のように収容箱２の後方にレバー１３の動作用のスペースが必要となることはなく、基板１上の他のデバイスと干渉することはない。また、ピストン９も、基板１に対して垂直方向にしか移動しないため、収容箱２の後方にピストン９の動作用のスペースが必要となることはなく、基板１上の他のデバイスと干渉することはない。よって、基板１上にデバイスを高密度で実装できる。
【００４０】
なお、上記ピストン９（スライド体９ａ、板体９ｂ）を金属製とすれば、放熱効果が発揮されるため、ピストン９は放熱材（ヒートシンク）を兼用することになる。また、レバー本体１５のピン１４の側の角に曲率を持たせることにより、回動時に収容箱２の上面との干渉を避けることができるので、リリースレバー１３を引っ掛かりなく滑らかに回動（起立傾倒）させることができる。
【図面の簡単な説明】
【００４１】
【図１】本発明の一実施形態に係るリリース機構を備えた光通信デバイス収容箱が基板上にコネクタを介して装着された様子を示す斜視図である。
【図２】上記リリース機構を作動させた様子を示す斜視図である。
【図３】上記リリース機構を更に作動させた様子を示す斜視図である。
【図４】上記リリース機構の平面図である。
【図５】上記リリース機構の正面図である。
【図６】先行例を示すリリース機構の説明図であり、(a)は第１工程、(b)は第２工程、(c)は第３工程を示す。
【符号の説明】
【００４２】
１  基板
２  光通信デバイス収容箱
３  コネクタ
４  コネクタ
６  ヒートシンク部
８  リリース機構
９  ピストン
１３  レバー
１４  ピン
１５  レバー本体
１９  ハンマー部
２０  ハンドル部
【図１】
2005093112.tif 000003
【図２】
2005093112.tif 000004
【図３】
2005093112.tif 000005
【図４】
2005093112.tif 000006
【図５】
2005093112.tif 000007
【図６】
2005093112.tif 000008